【手続補正書】
【提出日】平成16年10月29日(2004.10.29)
【手続補正１】
【補正対象書類名】明細書
【補正対象項目名】０００９
【補正方法】変更
【補正の内容】
【０００９】
図１は、本発明の実施形態を実行可能な例示的な通信システム１００を示している。第１の端末１０４は、信号を順方向リンク１０８Ａを通して第２の端末１０６へ送信し、信号を第２の端末１０６から逆方向リンク１０８Ｂを通して受信する。端末１０４および１０６は、データが各端末１０４および１０６から送信されているか、または各端末１０４および１０６で受信されているかに応じて、送信機ユニットまたは受信機ユニットとして、あるいはその両方の兼用として動作できる。端末１０６および１０４は、それぞれ移動局（ＭＳ）および基地局（ＢＳ）あるいは他の通信装置とすることができる。順方向リンク１０８Ａおよび逆方向リンク１０８Ｂは、電磁スペクトルまたは有線とすることができる。ＢＳコントローラ１０２は、通信システム１００を制御するためにＢＳ１０４に接続することができる。
【手続補正２】
【補正対象書類名】明細書
【補正対象項目名】００１２
【補正方法】変更
【補正の内容】
【００１２】
順方向リンク１０８Ａは、一組のチャネル、例えばパイロットチャネル、媒体アクセスチャネル、トラフィックチャネル、およびコントロールチャネルを含むことができる。コントロールチャネルは、通信システム１００によりカバーされる地域内のすべての移動局による受信のための信号を搬送するチャネルである。このシステム内で動作するために、各ＭＳは少なくとも１つのコントロールチャネルを監視する必要がある。トラフィックチャネルはデータを搬送する。コントロールチャネルは、トラフィックチャネルで搬送されているデータの復調のために必要な情報を伝えることができる。例示的な実施形態に基づく順方向リンクの信号構造を図２に示す。逆方向リンク１０８Ｂは、一組のチャネル、例えばトラフィックチャネルおよびアクセスチャネルを含んでいる。逆方向トラフィックチャネルは、１つのＭＳからネットワークを構成する複数のＢＳへの伝送に供される。逆方向アクセスチャネルは、トラフィックチャネルを確立する間またはそれ以前にネットワーク内で複数のＢＳと通信をするために、ＭＳにより使用される。
【手続補正３】
【補正対象書類名】明細書
【補正対象項目名】００１３
【補正方法】変更
【補正の内容】
【００１３】
例示的な実施形態では、各ＭＳは、複数のＢＳから受信した信号の信号品質メトリックを少なくとも監視する。複数のＢＳから順方向リンク信号を受信するＭＳ（例えばＭＳ１０６）は、最も高品質の順方向リンク信号に関連するＢＳ（例えばＢＳ１０４）を識別する。次にＭＳ１０６は、選択されたＢＳ１０４から受信したデータパケットのパケット誤り率（ＰＥＲ）が目標ＰＥＲを超えないデータレートの予測を発生する。約２％の目標ＰＥＲを用いるとよい。次にＭＳ１０６は、「テール確率」が目標ＰＥＲ以上となるレートを演算する。テール確率は、パケット伝送期間の間における実際の信号品質が、所定のレートでパケットの正確な復号を成功させるのに必要な信号品質未満になる確率である。次にＭＳ１０６は、逆方向リンク１０８Ｂ上で、特に選択されたＢＳ１０４にメッセージを送り、特定の選択されたＢＳがＭＳ１０４へ順方向リンクデータを送信できるデータレートを要求する。メッセージは、データレートコントロールチャネル（ＤＲＣ）上に送ることができる。ＤＲＣの使用については、本発明の譲受人に譲渡されここで参照により組み込まれた出願第０８／９６３，３８６号，現在では２００３年６月３日に発行された米国特許第６，５７４，２１１号，名称「Ａ  ＭＥＴＨＯＤ  ＡＮＤ  ＡＮ  ＡＰＰＡＲＡＴＵＳ  ＦＯＲ  ＨＩＧＨ  ＲＡＴＥ  ＤＡＴＡ  ＴＲＡＮＳＭＩＳＳＩＯＮ」に開示されている。専用の逆方向リンク媒体アクセスチャネル（Ｒ−ＭＡＣＣＨ）は、ＤＲＣ情報、逆方向レートインジケータ（ＲＲＩ）、および選択的肯定応答（ＳＡ）情報を搬送するために利用することができる。
【手続補正４】
【補正対象書類名】明細書
【補正対象項目名】００１４
【補正方法】変更
【補正の内容】
【００１４】
ＢＳ１０４は、各順方向リンク送信タイムスロットの間、少なくとも１つのＭＳからの逆方向チャネルを監視することができ、順方向リンク１０８Ａ上のデータを、たった１つの宛先ＭＳに送ることができる。一実施形態では、ＢＳ１０４は、各ＭＳのサービスグレード（ＧｏＳ）の要求とシステム１００のスループットを最大にする要望とのバランスを保つために設計されたスケジューリング手順に基づき、宛先ＭＳ（例えばＭＳ１０６）を選択する。ＢＳ１０４は、宛先ＭＳ１０６から受信した最新のＤＲＣメッセージにより指示されたレートのみにより、データをＭＳ１０６に送信する。この制限により、ＭＳ１０６は順方向リンク信号上のレート検出を行なう必要がなくなる。ＭＳ１０６は、所定のタイムスロットの間、それが意図された宛先ＭＳであるかどうかを判定する。
【手続補正５】
【補正対象書類名】明細書
【補正対象項目名】００１７
【補正方法】変更
【補正の内容】
【００１７】
例示的な実施形態では、逆方向リンク１０８Ｂに対して直交するＳＡコードチャネルを、ＡＣＫメッセージまたはＮＡＫメッセージを送信するのに有利に利用することができる。ＢＳはただ１つのＭＳに向けられたデータパケットを送信しているので、せいぜいこのＭＳがＳＡを送るだけであり、逆方向リンク１０８Ｂ上での低干渉を実現する。専用の逆方向リンク媒体アクセスチャネル（Ｒ−ＭＡＣＣＨ）は、ＤＲＣ、ＲＲＩ、およびＡＣＫ／ＮＡＫ情報の伝送のために利用することができる。ＳＡチャネルを検出した後にＢＳは、パケットの再伝送が必要かどうかを判断する。再伝送が必要であることをＳＡが示している場合、パケットは再伝送のためにスケジュールされる。そうでなければ、パケットは廃棄される。
【手続補正６】
【補正対象書類名】明細書
【補正対象項目名】００１８
【補正方法】変更
【補正の内容】
【００１８】
図２は、特定の実施形態に基づく例示的な高データレートシステムの各ＢＳにより送信される順方向リンク信号の構造を示す。順方向リンク信号は、固定継続時間のタイムスロットに分割されている。各タイムスロットは、１．６７ミリ秒の長さである。各スロット２０２は、２つのハーフスロット２０４Ａおよび２０４Ｂに分割されており、各ハーフスロット２０４Ａおよび２０４Ｂ内でそれぞれパイロットバースト２０８Ａおよび２０８Ｂが送信される。例示的な実施形態では、各スロットは２０４８チップの長さであり、１．６７ミリ秒のスロット継続時間に相当する。例示的な実施形態では、各パイロットバースト２０８Ａおよび２０８Ｂは９６チップの長さであり、その対応するハーフスロット２０４Ａおよび２０４Ｂの中間点に配置されている。逆方向リンク電力コントロール（ＲＰＣ）信号２０６Ａおよび２０６Ｂは、第２のハーフスロット２０４Ｂ毎にパイロットバースト２０８Ｂの両側で送信される。ＲＰＣ信号は、逆方向リンク信号の電力を調整するために、第２のパイロットバースト２０８Ｂの直前の６４チップおよび直後の６４チップにわたって送信することができる。順方向リンクのトラフィックチャネルのデータは、第１のハーフスロット２０４Ａの残りの部分２１０Ａおよび２１０Ｂおよび第２のハーフスロット２０４Ｂの残りの部分２１２Ａおよび２１２Ｂ内で送られる。プリアンブル２１４は６４チップの長さであり、各データパケットのために１度送信される。プリアンブル２１４は、トラフィックチャネルストリームが特定のＭＳに向けられているため、ＭＳ特有のものである。各データパケットは複数のデータユニットに分割され、各ユニットはスロットタイムの間に送信されるので、最初のタイムスロットは、最初および次のタイムスロット内のデータストリームを受信する宛先ＭＳを識別するプリアンブル２１４を含んでいる。
【手続補正７】
【補正対象書類名】明細書
【補正対象項目名】００２４
【補正方法】変更
【補正の内容】
【００２４】
ＲＬＰシーケンス番号が連続を示している場合、それは、ＭＳに送信されたパケットのすべてのペイロードユニットが正確に受信されたことを意味する。従って、ステップ４２４で、バッファ内に含まれる連続したシーケンス番号を有するすべてのペイロードユニットは、ＲＬＰレイヤに供給される。ＲＬＰシーケンス番号が不連続を示している場合、ステップ４２２で、送られた最後のＮＡＫに対応するタイマー（ステップ４１４でスタートしている）が検査される。タイマーが満了していない場合、ＭＳは送られた最後のＮＡＫのために、欠落ペイロードユニットの再伝送、またはタイマーの満了を待つ。
【手続補正８】
【補正対象書類名】明細書
【補正対象項目名】００２６
【補正方法】変更
【補正の内容】
【００２６】
ステップ４２６で、ＲＬＰレイヤは記憶されたペイロードユニットのシーケンス番号を検査する。シーケンス番号が連続を示している場合、ステップ４２８で、ＲＬＰレイヤはデータをバッファからデータシンクへ伝送する。そうでなければ、ステップ４３０で、ＲＬＰレイヤは欠落ユニットの再伝送を要求するＲＬＰメッセージを発生する。一実施形態において、ＲＬＰメッセージは、バッファ内のすべての欠落ユニットの再伝送を要求する。他の実施形態において、ＲＬＰメッセージは、最後の検出された欠落ペイロードユニットのみの再伝送を要求する。ステップ４３２で、メッセージは逆方向リンクを通して宛先ＢＳへ伝送される。ＲＬＰプロセッサが示されているが、シーケンス番号の方法に基づく再伝送が可能な他のプロトコルを利用することができる。
【手続補正９】
【補正対象書類名】明細書
【補正対象項目名】００２９
【補正方法】変更
【補正の内容】
【００２９】
組み立てられたパケットは、スケジューラー５１２に供給される。スケジューラー５１２は、初回のパケットとＭＳ１０６への再伝送が意図されたパケットとの間における優先順位の割り当てにおいて、ＱＡＲＱコントローラ５１８と協働する。ＭＳ１０６に送信されたパケットは、待ち行列５０８および５１０内に残り、その間ＢＳ１０４はＭＳ１０６からのＳＡを待つ。データユニットは、順方向リンク１０８Ａを通してＭＳ１０６へ送信される。
【手続補正１０】
【補正対象書類名】明細書
【補正対象項目名】００３０
【補正方法】変更
【補正の内容】
【００３０】
順方向リンク１０８Ａを通してＭＳ１０６に達したパケットは、プリアンブル検出器５２０に供給される。プリアンブル検出器５２０はパケットのプリアンブルを検出し復号する。プリアンブルは、プロセッサ５２１に供給される。プロセッサ５２１は、復号されたプリアンブルを基準プリアンブルと比較する。パケットが他のＭＳに向けられていることをプリアンブルが示している場合、パケットは廃棄される。そうでなければ、パケットは復号器５２２に供給される。復号器５２２は、パケットを復号する。復号されたパケットは、プロセッサ５２１に供給される。プロセッサ５２１は、パケットの品質メトリックの評価もする。評価された品質メトリックと受信されたパケット内に含まれている品質メトリックとが比較され、この比較に基づきＳＡ発生器５２４は適切なＳＡを発生する。プリアンブル検出器５２０、復号器５２２、およびプロセッサ５２１は、別個の要素として示している。しかしながら当業者は、例示的な説明のために物的な区別がなされていることを理解できるであろう。プリアンブル検出器５２０、復号器５２２、およびプロセッサ５２１は、全ての処理機能を実行する１つのプロセッサに内蔵してもよい。さらに、順方向および逆方向リンク信号の送信および受信は、簡単にするために、図示しないデータチャネル発生ユニットおよびＲＦ／ＩＦユニットのような他の機能を含んでいる。当業者は、様々な構成におけるそのような機能が順方向および逆方向リンク信号の適切な送信および受信のために可能であり、しばしば必要となることを理解する。
【手続補正１１】
【補正対象書類名】明細書
【補正対象項目名】００３３
【補正方法】変更
【補正の内容】
【００３３】
ＲＬＰプロセッサ５２６は、記憶されたペイロードユニットのシーケンス番号を検査する。シーケンス番号が連続を示している場合、ＲＬＰプロセッサ５２６はデータをバッファ５２８からデータシンク５３４へ伝送する。そうでなければ、ＲＬＰプロセッサ５２６は、欠落ユニットの再伝送を要求するＲＬＰメッセージを発生するよう、ＲＬＰメッセージ発生器５３２に指示する。一実施形態において、ＲＬＰのメッセージは、バッファ５２８内のすべての欠落ユニットの再伝送を要求する。他の実施形態において、メッセージは、最後に検出された欠落ペイロードユニットのみの再伝送を要求する。次に、メッセージは逆方向リンク１０８Ｂを介してＢＳ１０４に送信される。
【手続補正１２】
【補正対象書類名】明細書
【補正対象項目名】００３６
【補正方法】変更
【補正の内容】
【００３６】
図６は、ＭＳ１０６で受信されたパケットとＭＳ１０６から送信されたＳＡとの間のタイミングの関係を示している。スロットｎ−４またはｎ−３で、ＭＳ１０６は順方向チャネルリンク１０８Ａを通してパケットを受信し、パケットがＭＳ１０６に向けられていたかどうかを判定する。パケットがＭＳ１０６に向けられていなかった場合、ＭＳ１０６はパケットを廃棄する。そうでなければ、ＭＳ１０６はパケットを復号し、パケットの品質メトリックを評価し、評価された品質メトリックとスロットｎ−２およびｎ−１内のパケットに含まれる品質メトリックとを比較する。スロットｎで、ＭＳ１０６はＳＡを逆方向チャネルリンク１０８Ｂを通して元のＢＳ１０４へ送る。スロットｎ＋１で、ＢＳ１０４で受信されたＳＡは復号され、ＱＡＲＱコントローラに供給される。スロットｎ＋２，ｎ＋３で、ＢＳ１０４は要求があった場合にパケットを再送信する。受信した順方向リンクチャネル１０８Ａおよび逆方向リンクチャネル１０８Ｂ上のスロットの位置は、ＭＳ１０６で同期される。したがって、順方向チャネルリンク１０８Ａおよび逆方向チャネルリンク１０８Ｂ上のスロットの相対的な位置が固定される。ＢＳ１０４は、ＢＳ１０４とＭＳ１０６との間の往復遅延を測定する。その結果、ＳＡをＢＳ１０４に到着させなければならないタイムスロットを確かめることができる。
【手続補正１３】
【補正対象書類名】明細書
【補正対象項目名】００４３
【補正方法】変更
【補正の内容】
【００４３】
図７を再び参照すると、実施形態に基づく例示的な逆方向リンク構造は、ゲートブロック６９９でゲート制御されるＡＣＫ／ＮＡＫ逆方向チャネルを含んでいる。ゲート制御はステップ４０４で発生される。ゲート制御は、データパケットの最初のデータユニットのプリアンブルがＭＳで一致した場合に、ＡＣＫ／ＮＡＫ逆方向チャネルの伝送を可能にする。ＡＣＫ／ＮＡＫ逆方向チャネルで送信されるＡＣＫ／ＮＡＫメッセージは、１つのビットまたは記号に限定することができる。ＡＣＫ／ＮＡＫメッセージはブロック６９８および６９７で示すＢＰＳＫ変調器を介して通過し、反復する。ＢＰＳＫ変調されたＡＣＫ／ＮＡＫメッセージは、ブロック６９６でウォルシュカバーされる。ウォルシュカバーされた信号は、ゲインブロック６９５を通過し、その後、加算器６９４でＤＲＣチャネルおよびパイロットチャネルからの信号に加算される。ＡＣＫ／ＮＡＫメッセージ、ＤＲＣメッセージ、およびパイロットデータは、乗算器６５０Ａおよび６５０Ｃに供給される。乗算器６５０Ａおよび６５０Ｃは、それぞれＰＮ−Ｉ信号およびＰＮ−Ｑ信号でデータを拡散する。これにより、ＡＣＫ／ＮＡＫメッセージ、ＤＲＣメッセージ、およびパイロットは、シヌソイドの同相と直角位相との両方で送信される。
【手続補正１４】
【補正対象書類名】明細書
【補正対象項目名】００４４
【補正方法】変更
【補正の内容】
【００４４】
トラフィックチャネルの入力データは、符号器６１２で符号化され、ブロック６１４でブロックインターリーブされた後、乗算器６１６でウォルシュカバーされる。ゲイン素子６１８は、トラフィックチャネルのゲインを調整する。その結果は、チャネルを拡散するために乗算器６５０Ｂおよび６５０Ｄを通過する。ＤＲＣメッセージは、ＤＲＣ符号器ブロック６２６で符号化される。ウォルシュ発生器６２４は、符号化されたＤＲＣメッセージを乗算器６２８でウォルシュカバーするためのウォルシュ関数を発生する。ウォルシュカバーされたＤＲＣメッセージおよびパイロットデータは、ＭＵＸブロック６３０で多重化される。その結果は、加算器６９４で、ゲート制御されたＮＡＫ／ＡＣＫチャネルに加算される。加算器６９４の結果は、乗算器６５０Ａおよび６５０Ｃでチャネルが拡散される。符号発生器６４２および６４４は、長い符号および短い符号を発生する。これらの符号は、ＰＮ−ＩおよびＰＮ−Ｑを発生するために乗算器６４６Ａおよび６４６Ｂで乗算される。ブロック６４０は、タイミングおよび制御の関数を供給することができる。ＰＮ−ＩおよびＰＮ−Ｑは、乗算器６５０Ａ−Ｄにより実行されるチャネル拡散のために使用される。乗算器６５０Ａ−Ｄの結果は、フィルター６５２Ａ−Ｄを通過する。フィルター６５２Ａおよび６５２Ｂの出力は、Ｉ−チャネルを発生するために加算器６５４Ａで加算され、フィルター６５２Ｃおよび６５２Ｄの出力は、Ｑ−チャネルを発生するために加算器６５４Ｂで加算される。
【手続補正１５】
【補正対象書類名】明細書
【補正対象項目名】図４
【補正方法】変更
【補正の内容】
【図４】
2004512708.tif 000001
【手続補正１６】
【補正対象書類名】明細書
【補正対象項目名】図５
【補正方法】変更
【補正の内容】
【図５】
2004512708.tif 000002